(57)【要約】【課題】本発明は、加熱を必要とする被包装物品を収納包装してなる容器、特に即席カップ麺容器等の一定時間と一定温度の加熱したとき、それを検知して、同一の変色を不可逆に表示・記録できる、色差の大きい目視し易い、時間経過表示インジケータ付き蓋材及び蓋材仮止めシールを提供することを目的とする。【解決手段】加熱を必要とする被包装物品を収納包装してなる容器の蓋材又は蓋材仮止めシールであって、前記蓋材又はインジケータ付き蓋材仮止めシールの全部又は一部に、一定時間と一定温度の加熱したとき、それを検知して、同一の変色を不可逆に表示・記録する時間経過表示手段としてインジケータを有することを特徴とするインジケータ付き蓋材又はインジケータ付き蓋材仮止めシールである。【選択図】図１
2004168387.tif 000002
【特許請求の範囲】
【請求項１】
加熱を必要とする被包装物品を収納包装してなる容器の蓋材であって、
前記蓋材の全部又は一部に、一定時間と一定温度の加熱したとき、それを検知して、同一の変色を不可逆に表示・記録する時間経過表示手段としてインジケータを有することを特徴とするインジケータ付き蓋材。
【請求項２】
加熱を必要とする被包装物品を収納包装してなる容器の蓋材仮止めシールであって、
前記蓋材仮止めシールの全部又は一部に、一定時間と一定温度の加熱したとき、それを検知して、同一の変色を不可逆に表示・記録する時間経過表示手段としてインジケータを有することを特徴とするインジケータ付き蓋材仮止めシール。
【請求項３】
請求項１記載のインジケータ付き蓋材において、前記時間経過表示手段が、ビスマス化合物と、化合物としての水を含む金属化合物または／および化合物としての水を含む金属錯体化合物と、チオ尿素化合物との加熱変色性組成物で構成されていることを特徴とするインジケータ付き蓋材。
【請求項４】
請求項１記載のインジケータ付き蓋材において、前記時間経過表示手段が、染料として少なくともメチルエローと、有機酸および／または有機酸の金属塩を含む加熱変色性組成物で構成されていることを特徴とするインジケータ付き蓋材。
【請求項５】
請求項２記載のインジケータ付き蓋材仮止めシールにおいて、前記時間経過表示手段が、ビスマス化合物と、化合物としての水を含む金属化合物または／および化合物としての水を含む金属錯体化合物と、チオ尿素化合物との加熱変色性組成物で構成されていることを特徴とするインジケータ付き蓋材仮止めシール。
【請求項６】
請求項２記載のインジケータ付き蓋材仮止めシールにおいて、前記時間経過表示手段が、染料として少なくともメチルエローと、有機酸および／または有機酸の金属塩を含む加熱変色性組成物で構成されていることを特徴とするインジケータ付き蓋材仮止めシール。
【請求項７】
請求項１記載のインジケータ付き蓋材において、
前記加熱を必要とする被包装物品を収納包装してなる容器が、即席カップ麺容器であることを特徴とするインジケータ付き蓋材。
【請求項８】
請求項２記載のインジケータ付き蓋材仮止めシールにおいて、
前記加熱を必要とする被包装物品を収納包装してなる容器が、即席カップ麺容器であることを特徴とするインジケータ付き蓋材仮止めシール。
【発明の詳細な説明】
【０００１】
【発明の属する技術分野】
加熱を必要とする被包装物品を収納包装してなる容器の時間経過表示インジケータ付き蓋材及びインジケータ付き蓋材仮止めシールに係わり、さらに詳細には、一定時間と一定温度の加熱したとき、それを検知して、同一の変色を不可逆に表示・記録する時間経過表示手段としてインジケータ付き蓋材及びインジケータ付き蓋材仮止めシールに関する。
【０００２】
【従来の技術】
従来、加熱温度や加熱時間の条件を簡易に記録できるケミカルインジケータとして、加熱条件に拘わらず、特に６０℃以上の高温領域で、一定温度と一定時間の加熱したとき、それを検知して、不可逆に記録できる簡便なインジケータが存在しなかった。
【０００３】
そこで、加熱を必要とする被包装物品を収納包装してなる容器として、例えば即席カップ麺容器の場合、即席カップ麺は調理時間が３〜５分と短く、熱湯さえあればどこでも調理できる手軽さから重宝され、屋内屋外を問わずあらゆるところで食用に供され、製造開始から今日まで１００億食を越えるといわれている。一般には８５〜９５℃の熱湯を注いでから３分又は５分後にするのが、最も味の良い状態で賞味するための条件である。
【０００４】
ところで、熱湯であるかどうかの判断は湯の沸騰具合（沸騰を始めてからしばらく経過すれば通常の場合は平地においては１００℃で安定する）で判断できるが、時間の正確な経過は時計やタイマーでなければ計測できない。
【０００５】
しかし、このような計測はいちいち時計やタイマーで計測するのは面倒なため大まかに時間を推定して食しているために麺が伸びすぎたり、硬すぎたりで本来メーカーで希望する最も美味しい状態で食べられるものがなかった。
【０００６】
そのため、時間経過表示体をカップ麺容器に取り付ける提案がなされている。しかし、従来の時間経過表示体は、表示方法がいずれも初期から最終変色完了までの過程が表示体の色が徐々に色変化するためにどの時点が完了色なのかが判断しにくく、また、変色初期から完了時点までの経過過程や残り時間を目測しにくいといった問題があった。
【０００７】
【発明が解決しようとする課題】
本発明は、上記のような問題点を解決するためになされたものであって、加熱を必要とする被包装物品を収納包装してなる容器、特に即席カップ麺容器等の一定時間と一定温度の加熱したとき、それを検知して、同一の変色を不可逆に表示・記録できる、色差の大きい目視し易い、時間経過表示インジケータ付き蓋材及び蓋材仮止めシールを提供することを目的とする。
【０００８】
【課題を解決するための手段】
上記の目的を達成するために、請求項１に係る発明は、
加熱を必要とする被包装物品を収納包装してなる容器の蓋材であって、
前記蓋材の全部又は一部に、一定時間と一定温度の加熱したとき、それを検知して、同一の変色を不可逆に表示・記録する時間経過表示手段としてインジケータを有することを特徴とするインジケータ付き蓋材である。
【０００９】
また、請求項２に係る発明は、
加熱を必要とする被包装物品を収納包装してなる容器の蓋材仮止めシールであって、
前記蓋材仮止めシールの全部又は一部に、一定時間と一定温度の加熱したとき、それを検知して、同一の変色を不可逆に表示・記録する時間経過表示手段としてインジケータを有することを特徴とするインジケータ付き蓋材仮止めシール。
【００１０】
また、請求項３に係る発明は、
請求項１記載のインジケータ付き蓋材において、前記時間経過表示手段が、ビスマス化合物と、化合物としての水を含む金属化合物または／および化合物としての水を含む金属錯体化合物と、チオ尿素化合物との加熱変色性組成物で構成されていることを特徴とするインジケータ付き蓋材である。
【００１１】
また、請求項４に係る発明は、
請求項１記載のインジケータ付き蓋材において、前記時間経過表示手段が、染料として少なくともメチルエローと、有機酸および／または有機酸の金属塩を含む加熱変色性組成物で構成されていることを特徴とするインジケータ付き蓋材である。
【００１２】
また、請求項５に係る発明は、
請求項２記載のインジケータ付き蓋材仮止めシールにおいて、前記時間経過表示手段が、ビスマス化合物と、化合物としての水を含む金属化合物または／および化合物としての水を含む金属錯体化合物と、チオ尿素化合物との加熱変色性組成物で構成されていることを特徴とするインジケータ付き蓋材仮止めシールである。
【００１３】
また、請求項６に係る発明は、
請求項２記載のインジケータ付き蓋材仮止めシールにおいて、前記時間経過表示手段が、染料として少なくともメチルエローと、有機酸および／または有機酸の金属塩を含む加熱変色性組成物で構成されていることを特徴とするインジケータ付き蓋材仮止めシールである。
【００１４】
また、請求項７に係る発明は、
請求項１記載のインジケータ付き蓋材において、
前記加熱を必要とする被包装物品を収納包装してなる容器が、即席カップ麺容器であることを特徴とするインジケータ付き蓋材である。
【００１５】
また、請求項８に係る発明は、
請求項２記載のインジケータ付き蓋材仮止めシールにおいて、
前記加熱を必要とする被包装物品を収納包装してなる容器が、即席カップ麺容器であることを特徴とするインジケータ付き蓋材仮止めシールである。
【００１６】
【発明の実施の形態】
以下、本発明の一実施例としての実施形態について図面を参照して説明する。
図１は、本発明のインジケータ付き蓋材の層構成の一例を示す断面図である。また、図２は、本発明のインジケータ付き蓋材仮止めシールの層構成の一例を示す断面図である。
【００１７】
先ず、本発明のインジケータ付き蓋材の層構成について説明する。本発明の一実施例としてのインジケータ付き蓋材１０は、図１に示すように、少なくとも基材層１１、強度を有する樹脂のフィルム層１３およびヒ−トシ−ル層１４の順に積層した構成からなり、さらに具体的には、基材１１の片方の面に、必要ならば、接着剤層１２等を介して強度を有する樹脂のフィルム１３を貼り合わせ、他方、上記の基材１１の他の面に時間経過表示インジケータ層１６を設け、必要に応じて、文字、図形、絵柄、記号等の印刷模様層１５を形成し、さらにその上に時間経過表示インジケータ層１６および印刷模様層１５を保護する表面保護層１７を設けた構成からなるものである。
【００１８】
次に、本発明のインジケータ付き蓋材仮止めシールの層構成について説明する。本発明の一実施例としての時間経過表示インジケータ付き蓋材仮止めシール２０は、図２に示すように、少なくとも基材層２１、離型紙層２９の順に積層した構成からなり、さらに具体的には、基材２１の片方の面に、粘着剤層２８等を介して離型紙２９を貼り合わせ、他方、上記の基材２１の他の面に時間経過表示インジケータ層２６を設け、さらにその上に時間経過表示インジケータ層２６を保護する表面保護層２７を設けた構成からなるものである。
【００１９】
本発明における時間経過表示インジケータ層１６，２６は、加熱変色性組成物からなるインキを用いて印刷等により設けられるもので、一定時間と一定温度の加熱したとき、それを検知して、同一の変色を不可逆に表示・記録できる時間経過表示インジケータからなるものである。
【００２０】
本発明における時間経過表示インジケータの表示手段として使用される加熱変色性組成物は、ビスマス化合物と、化合物としての水を含む金属化合物または／および化合物としての水を含む金属錯体化合物と、チオ尿素化合物とから構成されていることを特徴とするものである。
【００２１】
すなわち、本発明における加熱変色性組成物は、ビスマス化合物と、化合物としての水を含む金属化合物および化合物としての水を含む金属錯体化合物の少なくとも一方と、チオ尿素化合物とを含んでいる。
【００２２】
加熱変色性組成物の組成比率は、ビスマス化合物が７〜３０重量部、水を含む金属化合物および水を含む金属錯体化合物の少なくとも一方が７〜３０重量部、該チオ尿素化合物が３〜１０重量部であることが好ましい。ビスマス化合物の比率、水を含む金属化合物および水を含む金属錯体化合物の少なくとも一方の化合物の比率、チオ尿素化合物の比率のいずれかが上記した重量部より少ないと加熱後の発色が不十分となり、いずれかが上記した重量部より多いと加熱条件によっては、変色温度および変色開始時間が異なり、一定の条件で変色しなくなってしまう。
【００２３】
ビスマス化合物は、３，２−酸化ビスマス、硝酸水酸化ビスマス、水酸化ビスマス、塩基性酢酸ビスマス、塩基性炭酸ビスマス、シュウ酸ビスマス、硫酸ビスマス、塩化ビスマスから選ばれる少なくとも１種類の化合物である。
【００２４】
化合物としての水を含む金属化合物および化合物としての水を含む金属錯体化合物は、硝酸コバルト６水和物、硝酸ニッケル６水和物、硝酸アルミニウム９水和物、硝酸クロム９水和物、硝酸鉄９水和物、硝酸コバルトとヘキサメチレンテトラミンとの錯体の１０水和物または含水体、硝酸コバルトと硝酸ニッケルとヘキサメチレンテトラミンとの錯体の１０水和物、酸化コバルトとヘキサメチレンテトラミンとの錯体の９水和物、塩化コバルトとヘキサメチレンテトラミンとの錯体の１０水和物、臭化コバルト６水和物、酢酸コバルト４水和物、塩化コバルト６水和物、シュウ酸コバルト２水和物、塩化コバルトアンモニウム６水和物、硫酸コバルトアンモニウム６水和物および硫酸アンモニウムクロム１２水和物から選ばれる少なくとも１種類の化合物である。
【００２５】
チオ尿素化合物は、チオ尿素、１，３−ジメチル−２−チオ尿素、１，３−ジエチル−２−チオ尿素、１，３−ジトリルチオ尿素、２，２−ジトリルチオ尿素、１，３−ジフェニル−２−チオ尿素、１−フェニル−２−チオ尿素、アリルチオ尿素、エチレンチオ尿素、トリメチルチオ尿素、トリルチオ尿素、メチルチオ尿素、エチルチオ尿素、１−フェニル−３−チオセミカルバジド、４−フェニル−３−チオセミカルバジド、チオカルボヒドラジドから選ばれる少なくとも１種類の化合物である。
【００２６】
加熱変色性組成物は、これを構成する各化合物の組成比率と種類とを、上記の範囲内で種々に変えることにより、任意に調製することができる。尚、加熱変色性組成物には、上記の化合物以外にさらに他の添加剤、やタルク、炭酸マグネシウムを加えても良い。
【００２７】
また、上記時間経過表示インジケータの別の表示手段として、染料として少なくともメチルエローと、有機酸および／または有機酸の金属塩を含む加熱変色性組成物で構成されていることを特徴とするものである。
【００２８】
すなわち、本発明における別の加熱変色性組成物は、染料として少なくともメチルエロー（Ｃ６Ｈ５−Ｎ＝Ｎ−Ｃ６Ｈ４−Ｎ（ＣＨ３）２）と、有機酸および／または有機酸の金属塩とを含有する構成からなるものである。
【００２９】
有機酸は、サリチル酸、クエン酸、安息香酸、マレイン酸から選ばれる少なくとも一種からなり、その金属塩は亜鉛塩、ナトリウム塩、またはアルミニウム塩であることが好ましい。
【００３０】
このインジケータを高温条件に曝すと、メチルエローが有機酸の作用により変色する。変色は、加熱時間と温度に依存して進行するので、温度履歴に応じて異なった色相が表示される。このインジケータは６０〜８０℃の温域での加熱でも、変色色差が大きく、目認が容易である。
【００３１】
上記の加熱変色性組成物を、溶剤に溶解した合成樹脂のバインダに混合してインキ化し、印刷などにより塗布して蓋材または蓋材仮止めシールに時間経過表示インジケータを形成することができる。合成樹脂のバインダとしては、アクリル系、ポリアミド系、ビニル系、セルロース系、ゴム系の各種ビヒクルが使用できる。印刷手法としては、グラビア印刷、シルクスクリーン印刷、フレキソ印刷が採用できるが、インキ塗布量の観点からシルクスクリーン印刷が望ましい。
【００３２】
本発明のインジケータ付き蓋材１０における基材としては、例えば、模造紙、クレイコート紙、クラフト紙、板紙、合成紙等の各種の紙を使用することができる。本発明において、紙からなる基材層は、蓋材としての強度、シール時の耐熱性、開封時の折癖等を保持させるために使用するものであり、また、所望の印刷模様等を設けることから印刷適性を有し、また、他の基材と積層することから積層適性等を有することが好ましい。その厚さとしては、秤量、約５０〜３００ｇ／ｍ２位のものを使用することができる。
【００３３】
また、蓋材の表面には、時間経過表示インジケータ以外に、装飾、内容物の表示、賞味期間の表示、製造者、販売者等の表示、その他等の表示のために、文字、絵柄、図形、記号等の任意の印刷模様層１５を設けることもできる。かかる印刷模様層は、例えば、通常のインキ組成物を使用してオフセット印刷あるいはグラビア印刷等の通常の印刷法等によって形成することができる。
【００３４】
さらに、本発明においては、上記の印刷模様層を保護するために表面保護層１７を設けることが好ましく、例えば、樹脂のフィルムないしシートをラミネートすることにより、あるいは樹脂をビヒクルの主成分とする組成物をコーティングしてコーティング膜等を形成することによって、表面保護層を設けることができる。上記の樹脂としては、例えば、ポリオレフィン系樹脂、アクリル系樹脂、ポリエステル系樹脂、ポリウレタン系樹脂、ポリアミド系樹脂、セルロース系樹脂、その他等を使用することができる。
【００３５】
次に、上記の本発明において、紙からなる基材層に強度を有する樹脂のフィルム１３を貼り合わせる際には、必要ならば、接着剤層１２を介して積層することができる。本発明において、そのような接着剤としては、ドライラミネーションあるいは無溶剤型ドライラミネーション等において使用する接着剤を使用することができる。例えば、ビニル系樹脂、オレフィン系樹脂、アクリル系樹脂、ポリアミド系樹脂、エポキシ系樹脂、ゴム系樹脂、ウレタン系樹脂、ポリエステル系樹脂、その他等を主体とする接着剤を使用することができ、その形態としては、水性型、溶剤型、一液型、二液型、硬化型、エマルジョン型、無溶剤型等のいずれのものでもよい。
【００３６】
また、本発明において、強度を有する樹脂フィルム１３としては、機械的、化学的、物理的、その他等において優れた特性を有する樹脂のフィルムないしシ−トを使用することができ、例えば、ポリエステル系樹脂、ポリアミド系樹脂、ポリオレフィン系樹脂、ポリカ−ボネ−ト系樹脂、ポリアセタ−ル系樹脂、フッ素系樹脂、その他の樹脂のフィルムないしシ−トを使用することができる。上記の樹脂のフィルムないしシ−トとしては、未延伸のもの、あるいは一軸方向ないし二軸方向に延伸したもの等、いずれのものでも使用することができる。本発明においては、強度を有すること等から、例えば、二軸延伸ポリエチレンテレフタレートフィルム、二軸延伸ポリアミドフィルム、二軸延伸ポリプロピレンフィルム、その他等を使用することが好ましく、特に、本発明においては、それらの中でも、二軸延伸ポリエチレンテレフタレートフィルムを使用することが最も好ましい。本発明において、上記のような樹脂のフィルムないしシ−トは、蓋材としての強度を保持させて引き剥がす際の紙層の破壊を防止し、さらにヒートシール時の耐熱性等も保持させるものであり、さらにはガスバリアー性等の機能も兼ねさせるものである。その貼り合わせ法としては、ドライラミネーション法、押し出しラミネ−ト法等の通常のラミネート法で行うことができる。
【００３７】
なお、本発明においては、上記の強度を有する樹脂のフィルムないしシ−トには、必要ならば、ガスバリヤ−性を付与するために、例えば、ポリ塩化ビニリデン、ポリビニルアルコ−ル、エチレン−酢酸ビニル共重合体のケンカ物等のガスバリヤ−性に富む樹脂のフィルムないしシ−ト等を積層してもよい。あるいは酸化珪素等の蒸着膜を有する樹脂のフィルムを積層してもよい。
【００３８】
次に、本発明において、ヒ−トシ−ル層１４としては、例えば、ワックス、熱可塑性樹脂、粘着付与剤、助剤、その他等からなるホットメルトラミネート用接着剤を使用することができる。上記において、ワックスとしては、パラフィンワックス、マイクロクリスタリンワックス等の石油ワックス、ポリエチレンワックス等を使用することができる。また、上記において、熱可塑性樹脂としては、例えば、酢酸ビニル系樹脂、エチレン−酢酸ビニル共重合体、ポリエチレン、ブチルゴム、ポリイソブチレン等を使用することができる。また、上記において、粘着付与剤としては、例えば、ロジン、水添ロジン、重合ロジン、水添ロジンエステル、テルペン系樹脂、石油系樹脂、クマロンインデン系樹脂、フェノール系樹脂、キシレン系樹脂等を使用することができる。また、上記において、助剤としては、酸化防止剤、紫外線吸収剤、帯電防止剤、滑剤、充填剤、防カビ剤、その他等を使用することができる。本発明において、ヒ−トシ−ル層を形成する方法としては、溶融押し出しコーティング法、加熱溶融したホットメルト用組成物をグラビアシリンダーで塗布するグラビアホットメルトコーティング法等によって形成することができる。
【００３９】
また、本発明において、ヒ−トシ−ル層１４としては、例えば、加熱によって溶融し相互に融着し得るヒ−トシ−ル性を有する樹脂のフィルムないしシ−トを使用して形成することもできる。例えば、低密度ポリエチレン、中密度ポリエチレン、高密度ポリエチレン、直鎖状低密度ポリエチレン、ポリプロピレン、エチレン−酢酸ビニル共重合体、アイオノマ−樹脂、エチレン−アクリル酸エチル共重合体、エチレン−アクリル酸共重合体、メチルペンテンポリマ−、ポリブテンポリマ−、その他等の樹脂のフィルムないしシ−ト、あるいは上記に挙げた樹脂をビヒクルの主成分とする樹脂組成物のコ−ティング膜等を使用することができる。
【００４０】
次に、本発明のインジケータ付き蓋材仮止めシール２０における基材２１としては、特に限定されないが、天然紙、合成紙、再生紙、合成樹脂フィルムが使用できる。
【００４１】
更に、本発明においては、上記のインジケータ２６を保護するために表面保護層２７を設けることが好ましく、例えば、樹脂のフィルムないしシートをラミネートすることにより、あるいは樹脂をビヒクルの主成分とする組成物をコーティングしてコーティング膜等を形成することによって、表面保護層を設けることができる。上記の樹脂としては、例えば、ポリオレフィン系樹脂、アクリル系樹脂、ポリエステル系樹脂、ポリウレタン系樹脂、ポリアミド系樹脂、セルロース系樹脂、その他等を使用することができる。
【００４２】
本発明のインジケータ付き蓋材仮止めシールにおいて用いられる粘着剤層２８を構成する粘着剤としては、特に限定されないが、一般にアクリル系粘着剤、ゴム系粘着剤等を使用できる。
【００４３】
また、本発明のインジケータ付き蓋材仮止めシールにおいて用いられる離型紙２９としては、特に限定されないが、シリコーン加工を施されたグラシン等の紙もしくはポリエチレン等のフィルムからなる剥離紙を用いることができる。
【００４４】
図３は、本発明に係るインジケータ付き蓋材の平面図である。蓋材の全部又は一部に、一定時間と一定温度の加熱したとき、それを検知して、同一の変色を不可逆に表示・記録する時間経過表示インジケータ３６を有する蓋材３０である。
【００４５】
次に、加熱を必要とする被包装物品を収納包装してなる容器として、例えば通常の即席カップ麺容器に、本発明のインジケータ付き蓋材を使用した例を説明する。時間経過表示インジケータ付き蓋材３０を使用した即席カップ麺容器４０の斜視図を図４に示した。この時間経過表示インジケータ３６は容器４０内に注がれた熱湯の温度の経時変化に基づいて調理に最適の経過時間を色変化で不可逆に表示するものである。つまり、表示手段は注湯してから設定時間終了後に所定の色変化を呈するもので、この時間経過表示は次の理由による。
【００４６】
すなわち、発泡樹脂製の即席カップ麺の容器４０内に注がれた熱湯のエネルギーが空気層から蓋材３０の表面に伝わる量と速度は、熱湯から容器４０を通して直接に容器４０表面に伝わる熱エネルギーの量と速度とは異なる。しかし、注湯してから一定の時間が経過した後の湯温及び容器４０と蓋材３０の外部表面温度は、同一条件下では常にほぼ同じである。例えば、室温２５℃において上記容器に所定量の熱湯（９５℃）を注入すると２分後には容器内の湯温は９５℃から約８５℃に、蓋材３０の表面温度は２５℃から約６８℃に、容器の外部表面温度は２５℃から約６０℃に下降又は上昇変化し、その後しばらくはあまり変化しないことが実験的に確認されている。この実験値は即席カップ麺のメーカーや製品の種類により多少異なるが、同一製品では常に同じ値が得られる。そこで、例えば３分が最適調理時間であるものについて、蓋材３０に約６８℃で色が変化する時間経過表示インジケータを取り付ける場合、蓋材３０が３分後に６８℃に達するように蓋材の厚みや材質を設計すればよい。
【００４７】
本発明によれば、時計等の計時装置がなくても色変化で最適調理時間の経過を知ることができるので、時計等の計時装置がなくても食品メーカーの設定通りの味覚を楽しむことができる。利用者に色変化により調理時間の終了を知らせることができる。
【００４８】
また、本発明のインジケータ付き蓋材仮止めシールを用いて同様に利用者に色変化により調理時間の終了を知らせることができる。
インジケータ付き蓋材仮止めシール５６を使用した即席カップ麺容器５０の斜視図を図５に示した。カップ麺等、カップ類容器の蓋を容器から取り外したり、剥離した後、再度容器に密着させることが可能な、時間経過表示インジケータ付き蓋材仮止めシールを用いることにより、調理時間の終了を知らせることができるとともに、熱湯等注入後調理に必要な温度を確実に保つことができる。内容物が飛び出すことことを防止できるので、容器の手持ち移動を容易にし、容器と蓋の密着が容易にできるので、はめ込み式容器と蓋との関係精度が必要なくなる。粘着部を有するシールなので、蓋の開閉が自由にできる。
【００４９】
上記において、通常の即席カップ麺容器の蓋材及び蓋材仮止めシールの例を説明したが、もちろん即席カップ麺容器の蓋材及び蓋材仮止めシール以外に、加熱を必要とする被包装物品を収納包装してなる広範な容器の加熱時間経過表示インジケータ有する蓋材及び蓋材仮止めシールとして使用できる。
【００５０】
【発明の効果】
本発明により、加熱を必要とする被包装物品を収納包装してなる容器の蓋材もしくは蓋材仮止めシールの全部又は一部に、一定時間と一定温度の加熱したとき、それを検知して、同一の変色を不可逆に表示・記録する時間経過表示手段としてのインジケータを設けることで、目視で時間経過を知ることができる。
本発明のインジケータ付き蓋材もしくはインジケータ付き蓋材仮止めシールをカップ麺等、カップ類容器に適用することにより、色変化で最適調理時間の経過を知ることができるので、時計等の計時装置がなくても食品メーカーの設定通りの味覚を楽しむことができる。
【図面の簡単な説明】
【図１】本発明のインジケータ付き蓋材の層構成の一例を示す断面図である。
【図２】本発明のインジケータ付き蓋材仮止めシールの層構成の一例を示す断面図である。
【図３】本発明に係るインジケータ付き蓋材の一例を示す平面図である。
【図４】加熱を必要とする被包装物品を収納包装してなる容器の一例として本発明のインジケータ付き蓋材を用いた即席カップ麺容器の斜視図である。
【図５】加熱を必要とする被包装物品を収納包装してなる容器の一例として本発明のインジケータ付き蓋材仮止めシールを用いて蓋材を仮止めした即席カップ麺容器のの斜視図である。
【符号の説明】
１０、３０・・・インジケータ付き蓋材
１１、２１・・・基材層
１２・・・接着剤層
１３・・・樹脂フィルム層
１４・・・ヒートシール層
１５・・・印刷模様層
１６、２６、３６、６６・・・時間経過表示インジケータ
１７、２７・・・表面保護層
２０、６０・・・インジケータ付き蓋材仮止めシール
２８・・・粘着剤層
２９・・・剥離紙
４０、５０・・・カップ容器
【図１】
2004168387.tif 000003
【図２】
2004168387.tif 000004
【図３】
2004168387.tif 000005
【図４】
2004168387.tif 000006
【図５】
2004168387.tif 000007